(57)【要約】【課題】カラーホイールを使用して、光源からの白色光を時分割色分解する、投射型表示装置において、前記カラーホイールを導風板として利用し、効率的な冷却を行う。【解決手段】装置筐体内に、カラーホイールを導風板として利用し、冷却ファンによって発生した冷却風を、光源を冷却するための冷却風と、光学素子を冷却するための冷却風に分離する流路を形成する。前記冷却ファンを使用して前記光源と前記光学素子の冷却を同時に行うと共に、前記光源を冷却した後、温度が上昇した前記光源を冷却するための冷却風を、前記光学素子を含む空間内に流入させないことで、該光学素子の温度上昇を少なくする。【選択図】        図１
2005010693.tif 000002
【特許請求の範囲】
【請求項１】
白色光を発光する光源と、入射した光を変調するライトバルブと、光学素子と、前記光学素子の入射面近傍に前記光源からの出射光を集光する集光手段と、前記光源と前記光学素子の投射光路上に配置され、複数色のカラーフィルターを円盤状に形成して、モーターによって回転させ、前記光源からの白色光を透過させることで前記光源からの光を時分割色分解するカラーホイールと、時分割色分解された複数の色成分を前記ライトバルブに入射させる照明光学系と、ライトバルブによって変調された光をスクリーンにスクリーンに拡大投射する投射手段及び、前記光源を冷却するための冷却ファンを備えた投射型表示装置において、
前記冷却ファンによって発生した冷却風を、前記光源を冷却するための冷却風と、前記光学素子を冷却するための冷却風に分離するために、装置筐体内に、前記カラーホイールを導風板として利用する流路を形成したことを
特徴とする、投射型表示装置。
【請求項２】
前記光学素子が柱状光学素子であることを特徴とする、請求項１に記載の投射型表示装置。
【請求項３】
前記光源を冷却後、温度が上昇した、光源を冷却するための冷却風が、前記光学素子を含む装置筐体の空間内に流入することなく、装置筐体に形成された開口部から、排気される流路を、装置筐体内に形成したことを特徴とする、請求項１または２に記載の投射型表示装置。
【発明の詳細な説明】
【０００１】
【発明の属する技術分野】
本発明は、光源からの白色光を、カラーホイールによって複数の色成分光に時分割で分離した後、ライトバルブに入射させ、前記各色成分光に対応した映像信号に変調し、拡大投射して画像を表示する、投射型表示装置に関する。
【０００２】
【従来の技術】
従来より、１枚のライトバルブを使用した単板式投射型表示装置において、所定の色成分光のみを透過する複数のフィルターを一枚の円盤状に形成したカラーフィルターを、モーターによって回転させ、光源からの白色光を透過させることで、前記白色光を時分割で色分解し、ライトバルブに照射する、カラーホイールを用いた照明光学系が使用されている。
【０００３】
図６は、従来の、カラーホイールを用いた照明光学系を採用した単板型投射型表示装置Ｄ４の概略を示す概略図である。
【０００４】
投射型表示装置Ｄ４は、光源となるランプ管１ａおよび、反射面が光軸を回転対称とする楕円面形状を持つ楕円反射鏡１ｂによって構成される投射ランプ１、照射された光を変調するライトバルブ１０と、所定の色成分光のみを透過する複数のフィルターを一枚の円盤状に形成したカラーフィルター２ａをモーター２ｂによって回転させ、前記投射ランプ１からの白色光を透過させることで前記白色光を時分割で色分解するカラーホイール２と、前記投射ランプ１からの投射光を前記ライトバルブ１０の表示領域に均一かつ無駄なく照射するために照明領域を変化させる光学素子として、柱状形状を持つロッドインテグレーターレンズ（以降ロッドレンズと称する）３、前記ロッドレンズ３を保持固定するロッドレンズホルダー４、リレーレンズ５、フィールドレンズ６、ライトバルブ１０によって変調された変調光をスクリーン（不図示）に拡大投射する投射レンズ１１、前記投射ランプ１は高温となるため、該投射ランプ１の性能を維持し、かつ装置筐体内の他の部品に熱の影響を及ぼさないよう冷却を行う、冷却ファン１０１、装置筐体５０によって構成されている。
【０００５】
図４は、Ｄ５を構成する、投射ランプ１の概略を示す概略図である。Ｆ１は、投射ランプ１を構成する楕円反射鏡１ｂの反射面形状である楕円面Ｒ１の第１焦点、Ｆ２は同じく第２焦点を示している。
【０００６】
Ｄ５において、ランプ管１ａの光源位置は、前記楕円反射鏡１ｂの楕円面Ｒ１における、第１焦点Ｆ１に配置されており、投射ランプ１からの出射光は、楕円反射鏡１ｂによって楕円面形状Ｒ１の第２焦点Ｆ２に集光する。さらにロッドレンズ３の入射端面３ａは、前記楕円反射鏡１ｂの第２焦点Ｆ２近傍に配置され、ロッドレンズホルダ４によって所定の位置に保持固定されている。
【０００７】
前記投射ランプ１と前記ロッドレンズ３の光路上には、カラーホイール２が、投射ランプ１からの投射光Ｌ１がカラーフィルター２ａを透過するように配置されている。
【０００８】
図５はカラーホイール２の概略図である。
【０００９】
カラーフィルター２ａは、Ｒ色のみを透過する２Ｒ、Ｇ色のみを透過する２Ｇ、Ｂ色のみを透過する２Ｂの各フィルターを一枚の円盤状形状にしたものであり、モーター２ｂによって回転する。
【００１０】
前記カラーフィルター２ａはモータ２ｂによって回転しているため、このカラーホイール２を透過した、白色の前記投射光Ｌ１は時分割で、Ｒ色、Ｇ色、Ｂ色の各色成分光に分離される。
【００１１】
時分割で分離された各色成分光は、投射ランプ１より出射された円形の投射光Ｌ１をロッドレンズ３およびリレーレンズ５、フィールドレンズ６によって、ライトバルブ１０の矩形である表示領域を均一かつ無駄なく照射するように、その照明領域を変化させられた後、ライトバルブ１０に入射する。
【００１２】
ライトバルブ１０に入射した各色成分光は、各色に対応した映像信号に変調され、投射レンズ１１によってスクリーン（不図示）に拡大投射される。
【００１３】
そしてそのような例として特許文献１がある。
【００１４】
【特許文献１】
特開平８−１４０１０６号公報
【００１５】
【発明が解決しようとする課題】
投射型表示装置Ｄ４において、ロッドレンズ３の入射端面３ａは、楕円反射鏡１ｂを持つ投射ランプ１からの投射光Ｌ１１が集光する前記楕円反射鏡１ｂの第２焦点Ｆ２近傍に配置されている。
【００１６】
前記ロッドレンズ３に入射した投射光Ｌ１は前記ロッドレンズ３内で、複数回全反射を繰り返し、ライトバルブの表示領域に合わせた長方形の照明領域を持つ照明光として出射される。
【００１７】
ここで、投射ランプ１は冷却ファン１０１からの冷却風Ｃ１０１によって冷却されているが、ロッドレンズ３およびロッドレンズホルダー４は、前記投射ランプ１に近い位置に配置されているため、前記投射ランプ１を冷却して、温度が上昇した冷却風Ｃ１０１の一部は前記ロッドレンズ３方向へも流れ（Ｃ２００）、その影響で、前記ロッドレンズ３周辺の温度が上昇し、前記ロッドレンズ３の光学性能が劣化したり、ロッドレンズ３を保持するロッドレンズホルダー４が熱により変形することで、その取付精度が悪化し、前記ロッドレンズ３の性能を発揮できない場合があった。
【００１８】
ロッドレンズ３およびロッドレンズホルダー４の温度上昇を防ぐために、ロッドレンズ３およびロッドレンズホルダー４を冷却するためのロッドレンズ用冷却ファンを追加する、またはロッドレンズ３およびロッドレンズホルダー４を構成する部材を温度上昇に耐えうる材質にする等の対策があるが、冷却ファンを追加する場合は、筐体の大型化および重量増加、冷却ファンの個数が増えることによるコスト増や騒音増加等の問題があり、温度上昇にったえうる材質の使用においては、製造上の制約やコスト増等の問題があった。
【００１９】
【課題を解決するための手段】
上記課題を解決するために、本発明では、白色光を発光する光源と、入射した光を変調するライトバルブと、光学素子と、前記光学素子の入射面近傍に前記光源からの出射光を集光する集光手段と、前記光源と前記光学素子間の投射光路上に配置され、複数色のカラーフィルターを円盤状に形成して、モーターによって回転させ、前記光源からの白色光を透過させることで前記光源からの光を時分割色分解するカラーホイールと、時分割色分解された複数の色成分を前記ライトバルブに入射させる照明光学系と、ライトバルブによって変調された光をスクリーンにスクリーンに拡大投射する投射手段及び、前記光源を冷却するための冷却ファンを備えた投射型表示装置において、装置筐体内に、前記カラーホイールを導風板として利用し、前記冷却ファンによって発生した冷却風を、前記光源を冷却するための冷却風と、前記光学素子を冷却するための冷却風に分離する流路を形成することで、前記冷却ファンを使用して前記光源と前記光学素子の冷却を同時に行うと共に、前記光源を冷却した後、温度が上昇した前記光源を冷却するための冷却風を、前記光学素子を含む空間内に流入させないことで、該光学素子の温度上昇を少なくする。
【００２０】
【発明の実施の形態】
（実施例１）
以下、図１および図４、図５を参照して、本発明の第一の実施例について説明する。
【００２１】
投射型表示装置Ｄ１は、光源となるランプ管１ａおよび、反射面が光軸を回転対称とする楕円面形状を持つ楕円反射鏡１ｂによって構成される投射ランプ１、照射された光を変調するライトバルブ１０と、所定の色成分光のみを透過する複数のフィルターを一枚の円盤状に形成したカラーフィルター２ａをモーター２ｂによって回転させ、前記投射ランプ１からの白色光を透過させることで、前記白色光を時分割で色分解する、カラーホイール２と、前記投射ランプ１からの投射光を、前記ライトバルブ１０の表示領域に、均一かつ無駄なく照射するために照明領域を変化させる光学素子として、本実施例においては、柱状形状を持つロッドインテグレーターレンズ（以降ロッドレンズと称する）３、前記ロッドレンズ３を保持固定するロッドレンズホルダー４、前記投射ランプ１は高温となるため、該投射ランプ１の性能を維持し、かつ装置筐体内の他の部品に熱の影響を及ぼさない為の冷却ファン１０１、リレーレンズ５、フィールドレンズ６、ライトバルブ１０によって変調された変調光をスクリーン（不図示）に拡大投射する投射レンズ１１、装置筐体２０によって構成されている。
【００２２】
図４は、Ｄ１を構成する、投射ランプ１の概略を示す概略図である。Ｆ１は投射ランプ１を構成する楕円反射鏡１ｂの反射面形状である楕円面Ｒ１の第１焦点、Ｆ２は同じく第２焦点を示している。
【００２３】
Ｄ１において、ランプ管１ａの光源位置は、前記楕円反射鏡１ｂの楕円面Ｒ１における、第１焦点Ｆ１に配置されており、投射ランプ１からの投射光Ｌ１は、楕円反射鏡１ｂによって楕円面形状Ｒ１の第２焦点Ｆ２に集光する。さらにロッドレンズ３の入射端面３ａは、前記楕円反射鏡１ｂの第２焦点Ｆ２近傍に配置され、ロッドレンズホルダー４によって所定の位置に保持固定されている。
【００２４】
前記投射ランプ１と前記ロッドレンズ３の光路上には、カラーホイール２が、投射ランプ１からの投射光Ｌ１がカラーフィルター２ａを透過するように配置されている。
【００２５】
図５はカラーホイール２の概略図である。
【００２６】
カラーフィルター２ａは、複数のフィルターによって構成され、本実施例においては、Ｒ色のみを透過する２Ｒ、Ｇ色のみを透過する２Ｇ、Ｂ色のみを透過する２Ｂを一枚の円盤状とした形状となっており、モーター２ｂによって回転する。
【００２７】
前記カラーフィルター２ａはモーター２ｂによって回転しているため、このカラーホイール２を透過した白色の前記投射光は、時分割でＲ色、Ｇ色、Ｂ色の色成分光に分離される。
【００２８】
時分割で分離された前記各色成分光は、ロッドレンズ３およびリレーレンズ５、フィールドレンズ６によって、円形の照明領域を持つ前記投射ランプ１からの投射光Ｌ１を、ライトバルブ１０の矩形である表示領域を均一かつ無駄なく照射するように、その照明領域を変化させられた後、ライトバルブ１０に入射する。
【００２９】
ライトバルブ１０に入射した各色成分光は、各色に対応した映像信号に変調され、投射レンズ１１によってスクリーン（不図示）に拡大投射される。
【００３０】
本実施例において、装置筐体２０には、開口部２０１が形成され、さらに冷却用ファン１０１が、前記開口部２０１に隣接して固定されている。
【００３１】
装置筐体２０内には、導風形状２０ａが形成されている。
【００３２】
前記導風形状２０ａは、投射ランプ１とロッドレンズ３との光路上に配置されているカラーホイール２を構成するカラーフィルター２ａを導風板として利用し、冷却用ファン１０１が発生した冷却風を、投射ランプ１を冷却するための冷却風Ｃ１０１と、光学素子３を冷却するための冷却風Ｃ１０２に分離し、それぞれが前記カラーフィルター２ａ表面に沿って流れるように形成されている。
【００３３】
冷却ファン１０１によって発生した冷却風Ｃ１０１は、導風形状２０ａおよびカラーフィルター２ａの光入射面側表面に沿って、前記投射ランプ１方向へと流され、投射ランプ１を冷却する。
【００３４】
投射ランプ１の冷却によって温度が上昇した冷却風Ｃ１０３は、装置筐体２０に形成された開口部２０２より装置筐体外へ排出される。
【００３５】
また、冷却ファン１０１は、同時に、導風形状２０ａおよびカラーフィルター２ａの光出射側表面に沿って、冷却風Ｃ１０２を前記ロッドレンズ３および前記ロッドレンズホルダー４方向へと流し、該ロッドレンズ３およびロッドレンズホルダー４を冷却する。
【００３６】
ロッドレンズ３およびロッドレンズホルダー４の冷却によって温度が上昇した冷却風は、装置筐体２０に形成された開口部２０３より装置筐体外へ排出される。
【００３７】
本実施例において、導風形状２０ａとカラーホイール２を構成するカラーフィルター２ａを導風板として共に利用することで、冷却用ファン１０１の冷却風を、前記投射ランプ１を冷却するための冷却風Ｃ１０１と、前記ロッドレンズ３およびロッドレンズホルダー４を冷却するための冷却風Ｃ１０２に分離し、投射ランプ１と、ロッドレンズ３およびロッドレンズホルダー４を、単一の冷却ファン１０１で同時に冷却可能にする。
【００３８】
前記冷却風Ｃ１０１と前記冷却風Ｃ１０２の流路が分離され、投射ランプ１を冷却した後、温度が上昇した冷却風Ｃ１０３は、開口部２０２から装置筐体の外部に排出される為、温度が上昇した前記冷却風Ｃ１０３が前記ロッドレンズ３およびロッドレンズホルダー４を含む空間内に流れることを少なくできるので、ロッドレンズ３およびロッドレンズホルダー４に及ぼす熱の影響を最小限にすることができる。
【００３９】
また、投射ランプ１とロッドレンズ３の間に配置され、面積が大きいカラーホイール２を導風板として利用しているため、装置筐体２０内に形成する導風形状２０ａは小さくすることができるため、前記導風形状２０ａの追加による、装置筐体２０の重量増加を最小限にすることも可能となる。
【００４０】
本実施例において、冷却ファン１０１は、装置筐体２０に形成された開口部２０１より吸気し、冷却風Ｃ１０１およびＣ１０２を発生させ、開口部２０２および２０３より、温度が上昇した冷却風を装置筐体外へと排気しているが、冷却ファンの送風方向を逆にして、開口部２０２および２０３より吸気し、前記冷却風の風向きを逆にして開口部２０１から排気する風向きとしても、同様の効果が得られる。
【００４１】
前記導風形状２０ａは、装置筐体２０と一体に成型しても良いが、別体としても良い。この場合、別体とした前記導風形状２０ａに熱伝導率の低い材質を使用すると、導風形状２０ａ自身の温度上昇が抑えられ、前記ロッドレンズ３およびロッドレンズホルダー４の温度上昇抑圧に、さらに効果がある。
【００４２】
本実施例においては、ライトバルブ１０の表示領域に均一かつ無駄なく照射するために照明領域を変化させる光学素子として、柱状形状を持つロッドインテグレーターレンズを使用した例を示しているが、同等の機能を持つ光学素子として、フライアイレンズ等を用いても良い。
【００４３】
また、ロッドレンズには、柱状ガラス素材の内面反射を利用したグラスロッドタイプと、複数のミラーを中空状に構成し、中空内で反射させるミラーロッドタイプがあるが、どちらを使用しても良い。
【００４４】
本発明は、前面投射型表示装置に限定されるものでははく、背面投射型表示装置に使用してもよい。
【００４５】
（実施例２）
図２は、本発明の第２の実施例を示す、投射型表示装置Ｄ２である。
【００４６】
なお、本実施例の構成は、第一の実施例とほぼ同等であり、共通の構成要素については、第一の実施例と同符号を付与し、説明を省略する。
【００４７】
本実施例において、装置筐体３０には、開口部３０１が形成され、さらに冷却用ファン１０１が、前記吸気口３０１に隣接して固定されている。
【００４８】
さらに、装置筐体３０には、第一の実施例における、カラーホイール２と共に冷却ファン１０１からの冷却風を、投射ランプ１を冷却するための冷却風Ｃ１０１と、ロッドレンズ３およびロッドレンズホルダー４を冷却するための冷却風Ｃ１０２に分離する、導風形状３０ａに加え、投射ランプを冷却後、温度が上昇した冷却風Ｃ１０３を開口部３０２へと導風する導風形状３０ｂが形成されている。
【００４９】
導風形状３０ｂを追加し、装置筐体３０内に、前記吸気口３０１から、投射ランプ１を含み、前記開口部３０２へとつながる流路を形成することで、前記第一の実施例の効果に加え、投射ランプ１を冷却する冷却風Ｃ１０１およびＣ１０３の、装置筐体内での損失が減少し、前記冷却ファン１０１による、前記投射ランプ１の冷却効率を高める事が可能となる。
【００５０】
その結果、投射ランプ１の冷却効果を保ったまま、冷却ファンの小型化や、冷却ファンの回転数を下げることによる騒音減少等が可能となる。
【００５１】
また、投射ランプ１を冷却する冷却風Ｃ１０１およびＣ１０３の流路が形成されているため、投射ランプ１を冷却した後、温度が上昇した前記冷却風Ｃ１０３を効率的に排出することが可能となり、前記Ｃ１０３が、前記ロッドレンズ３およびロッドレンズホルダー４を含めた装置筐体３０内の他の部品に及ぼす影響を、さらに小さくすることが可能となる。
【００５２】
（実施例３）
図３は、本発明の第３の実施例を示す、投射型表示装置Ｄ３である。
【００５３】
なお、本実施例の構成は、第一、第二の実施例とほぼ同等であり、共通の構成要素については、第一、第二の実施例と同符号を付与し、説明を省略する。
【００５４】
本実施例において、装置筐体４０には、開口部４０１が形成され、さらに冷却用ファン１０１が、前記開口部４０１に隣接して固定されている。
【００５５】
本実施例において、カラーホイール２には、カラーフィルター２ａの出射面側およびモーター２ｂを覆い、カラーフィルター２ａが高速で回転する際の整流板とする、カラーホイールカバー２ｃが追加されている。
【００５６】
装置筐体４０内には、導風形状４０ａが形成されており、カラーホイール２を構成するカラーフィルター２ａの入射面側を導風板として利用し、かつ前記カラーホイールカバー２ｃを前記導風形状４０ａの一部として利用することで、冷却用ファン１０１が発生した冷却風を、投射ランプ１を冷却するための冷却風Ｃ１０１と、光学素子３を冷却するための冷却風Ｃ１０２に分離する。
【００５７】
前記カラーホイールカバー２ｃをカラーホイール２に追加し、前記導風形状４０ａと共に、導風板として利用することで、前記第一、第二の実施例の効果に加え、カラーフィルター２ａが高速で回転する際の整流板となっているので、前記冷却風Ｃ１０１および冷却風Ｃ１０２の流れが、カラーフィルター２ａの高速回転によって乱れることを防止し、冷却ファン１０１の冷却効率をさらに向上させることが可能となる。
【００５８】
前記導風形状４０ａは、装置筐体４０から別体としても良い。
【００５９】
また、前記、別体とした導風形状４０ａは、前記カラーホイールカバー２ｃと一体にしても良く、その場合は、装置筐体４０の構造が簡略化できる。
【００６０】
また、前記カラーホイールカバー２ｃに熱伝導率の低い材質を使用すると、カラーホイールカバー２ｃ自身の温度上昇が抑えられ、前記ロッドレンズ３およびロッドレンズホルダー４の温度上昇抑圧に、さらに効果がある。
【００６１】
【発明の効果】
以上、説明したように、第一の発明によれば、導風形状２０ａとカラーホイール２を構成するカラーフィルター２ａを導風板として共に利用することで、冷却用ファン１０１の冷却風を、前記投射ランプ１を冷却するための冷却風Ｃ１０１と、前記ロッドレンズ３およびロッドレンズホルダー４を冷却するための冷却風Ｃ１０２に分離し、投射ランプ１と、ロッドレンズ３およびロッドレンズホルダー４を、単一の冷却ファン１０１で同時に冷却可能にする。
【００６２】
前記冷却風Ｃ１０１と前記冷却風Ｃ１０２の流路が分離され、投射ランプ１を冷却した後、温度が上昇した冷却風Ｃ１０３は、開口部２０２から装置筐体の外部に排出される為、温度が上昇した前記冷却風Ｃ１０３が前記ロッドレンズ３およびロッドレンズホルダー４に及ぼす熱の影響を最小限にできる。
【００６３】
また、投射ランプ１とロッドレンズ３の間に配置され、面積が大きいカラーホイール２を導風板として利用しているため、装置筐体２０内に形成する導風形状２０ａは小さくすることができるため、前記導風形状２０ａの追加による、装置筐体２０の重量増加を最小限にすることも可能となる。
【００６４】
さらに、第二の発明によれば、上記第一の発明における効果に加えて、導風形状３０ｂを追加し、装置筐体３０内に、前記開口部３０１から、投射ランプ１を含み、前記開口部３０２へとつながる流路を形成することで、前記第一の実施例の効果に加え、投射ランプ１を冷却する冷却風Ｃ１０１およびＣ１０３の、装置筐体内での損失が減少し、前記冷却ファン１０１による、前記投射ランプ１の冷却効率を高める事が可能となる。
【００６５】
その結果、投射ランプ１の冷却効果を保ったまま、冷却ファンの小型化や、冷却ファンの回転数を下げることによる騒音減少等が可能となる。
【００６６】
また、投射ランプ１を冷却する冷却風Ｃ１０１およびＣ１０３の流路が形成されているため、投射ランプ１を冷却した後、温度が上昇した前記冷却風Ｃ１０３を効率的に排出することが可能となり、前記Ｃ１０３が、前記ロッドレンズ３およびロッドレンズホルダー４を含めた装置筐体３０内の他の部品に及ぼす影響を、さらに小さくすることが可能となる。
【００６７】
さらに、第三の発明によれば、上記第一、第二の発明における効果に加えて、前記カラーホイールカバー２ｃをカラーホイール２に追加し、前記導風形状４０ａと共に、導風板として利用することで、前記第一、第二の実施例の効果に加え、カラーフィルター２ａが高速で回転する際の整流板となっているので、前記冷却風Ｃ１０１および冷却風Ｃ１０２の流れが、カラーフィルター２ａの高速回転によって乱れることを防止し、冷却ファン１０１の冷却効率をさらに向上させることが可能となる。
【図面の簡単な説明】
【図１】本発明の第一の実施例に係る、投射型表示装置Ｄ１の概略図。
【図２】本発明の第二の実施例に係る、投射型表示装置Ｄ２の概略図。
【図３】本発明の第三の実施例に係る、投射型表示装置Ｄ３の概略図。
【図４】本発明および従来例における、投射ランプの概念を示す概略図。
【図５】本発明および従来例における、カラーフィルター概念を示す概略図。
【図６】従来の投射型表示装置Ｄ４を示す概略図。
【符号の説明】
１  投射ランプ
１ａ  ランプ管
１ｂ  楕円反射鏡
２  カラーホイール
２ａ  カラーフィルター
２Ｒ  Ｒ色透過フィルター
２Ｇ  Ｇ色透過フィルター
２Ｂ  Ｂ色透過フィルター
２ｂ  モーター
２ｃ  カラーホイールカバー
３  ロッドインテグレータレンズ（ロッドレンズ）
４  ロッドレンズホルダー
５  リレーレンズ
６  フィールドレンズ
１０  ライトバルブ
１１  投射レンズ
２０  投射型表示装置Ｄ１の装置筐体
２０ａ  導風形状
３０  投射型表示装置Ｄ２の装置筐体
３０ａ  導風形状
３０ｂ  導風形状
４０  投射型表示装置Ｄ３の装置筐体
４０ａ  導風形状
４０ｂ  導風形状
５０  投射型表示装置Ｄ４の装置筐体
２０１  開口部
２０２  開口部
２０３  開口部
３０１  開口部
３０２  開口部
３０３  開口部
４０１  開口部
４０２  開口部
４０３  開口部
Ａ１  投射光の光軸
Ｃ１０１  冷却風
Ｃ１０２  冷却風
Ｃ１０３  冷却風
Ｆ１  Ｒ１の楕円形状における第一焦点
Ｆ２  Ｒ１の楕円形状における第二焦点
Ｌ１  投射光
Ｒ１  楕円反射鏡の反射面である、楕円形状
【図１】
2005010693.tif 000003
【図２】
2005010693.tif 000004
【図３】
2005010693.tif 000005
【図４】
2005010693.tif 000006
【図５】
2005010693.tif 000007
【図６】
2005010693.tif 000008